(57)【要約】【課題】玄関ポーチの外壁に沿って流れ落ちた雨水等の水を集めて確実に排水できる玄関ポーチの側溝構造を提供する。【解決手段】外壁６を支持する基礎１０の側面１０ａに、底板１５が玄関ポーチ床５の床面５ａより低い位置で突き当てられ、この底板１５の縁部に、側板１６が基礎１０の側面１０ａに対向してほぼ平行に設けられ、側溝７の内面は、底板１５の上面１５ａと、側板１６の側面１６ａと、基礎１０の側面１０ａとによって構成され、底板１５の上面１５ａに防水層１７が設けられ、この防水層１７は底板１５の上面１５ａと基礎１０の側面１０ａとの交差部における基礎１０の側面１０ａに密着しているので、玄関ポーチ１の外壁６に沿って流れ落ちた雨水等の水を集めて確実に排水できる。【選択図】図２
2011043015.tif 000002
【特許請求の範囲】
【請求項１】
玄関ポーチ床に、側溝が外壁の壁際に沿って設けられた玄関ポーチの側溝構造において、
前記外壁を支持する基礎の側面に、底板が前記玄関ポーチ床の床面より低い位置で突き当てられ、この底板の縁部に、側板が前記基礎の側面に対向してほぼ平行に設けられており、
前記側溝の内面は、前記底板の上面と、前記側板の側面と、前記基礎の側面とによって構成され、
前記底板の上面に防水層が設けられ、この防水層は前記底板の上面と前記基礎の側面との交差部における前記基礎の側面に密着していることを特徴とする玄関ポーチの側溝構造。
【請求項２】
玄関ポーチ床に、側溝が外壁の壁際に沿って設けられた玄関ポーチの側溝構造において、
前記外壁を支持する基礎の側面に、底板が前記玄関ポーチ床の床面より低い位置で突き当てられ、この底板の縁部に、側板が前記基礎の側面に対向してほぼ平行に設けられており、
前記外壁に出入口が形成され、この出入口に枠体が前記外壁の表面から突出させて取り付けられており、
この枠体の下枠と前記側溝の底板との間にコンクリートが打設され、
前記側溝の内面は、前記底板の上面と、前記側板の側面と、前記打設されたコンクリートの表面とによって構成され、
前記底板の上面に防水層が設けられ、この防水層は前記底板の上面と前記打設されたコンクリートの表面との交差部に密着していることを特徴とする玄関ポーチの側溝構造。
【請求項３】
請求項１または２に記載の玄関ポーチの側溝構造において、
前記側溝に、断面略Ｌ字型の支持部材がその一端部を前記底板の上面に設置し、他端部を前記側板の上面に直接または間接的に設置して、前記側溝の長手方向に所定間隔で複数設けられており、
前記複数の支持部材の上面に、通水性を有する側溝蓋が隣り合う支持部材間に架け渡すようにして載置されていることを特徴とする玄関ポーチの側溝構造。
【請求項４】
請求項３に記載の玄関ポーチの側溝構造において、
前記玄関ポーチ床に、前記側板の上面より前方まで延出する水平板が固定されており、この水平板の上面に前記支持部材の他端部が設置されていることを特徴とする玄関ポーチの側溝構造。
【請求項５】
請求項１に記載の玄関ポーチの側溝構造において、
前記基礎の側面が、前記外壁の表面より突出している場合に、
前記基礎の上端部側面に、切欠き段差部が形成され、
前記側溝に、断面略Ｌ字型の支持部材がその一端部を前記切欠き段差部に設置し、他端部を前記側板の上面に直接または間接的に設置して、前記側溝の長手方向に所定間隔で複数設けられており、
前記複数の支持部材の上面に、通水性を有する側溝蓋が隣り合う支持部材間に架け渡すようにして載置されていることを特徴とする玄関ポーチの側溝構造。
【発明の詳細な説明】
【技術分野】
【０００１】
本発明は、玄関ポーチ床に、側溝が外壁の壁際に沿って設けられた玄関ポーチの側溝構造に関する。
【背景技術】
【０００２】
近年、高齢化社会に対応すべく、段差部をできるだけ少なくした、いわゆるバリアフリー住宅が提供されている。このようなバリアフリー住宅において、例えば特許文献１に記載されているように、建物外側の玄関ポーチ、建物内側の玄関土間、玄関ホールを段差なく構成したものが知られている。この住宅は、玄関ポーチの床面を玄関ホールの床面と同等の高さで設け、板状格子材を、玄関土間の床面との間に間隔をおいて前記玄関ポーチ及び前記玄関ホールの床面と同等の高さで玄関土間の上方に設けたことを特徴としている。
また、玄関土間の床面は水勾配を有しており、この水勾配の下流側の床面に排水口が設けられている。
【先行技術文献】
【特許文献】
【０００３】
【特許文献１】特開平２００３−３４３０７４号公報
【発明の概要】
【発明が解決しようとする課題】
【０００４】
ところが、上記のような住宅では、玄関ポーチと玄関土間との床面は連続した平面となっているので、玄関ポーチに持ち込まれた雨水等の水や玄関ポーチを洗浄する際の水は、どうしても玄関土間に流入してしまう。流入した水は玄関土間に形成された排水口から排出されるが、なるべくなら外部の水を建物内の玄関土間に持ち込みたくないという住人の要望がある。
そこで、玄関ポーチを施工する際に、基礎に沿って外壁の壁際にＵ字溝を配置し、このＵ字溝の回りを玄関ポーチの施工する際の打設コンクリートで固めてしまうことによって、玄関ポーチに側溝を形成することが考えられるが、その場合、外壁に沿って流れ落ちた雨水等の水が基礎とＵ字溝との間の隙間に入り込み、溜まってしまうという問題がある。
【０００５】
本発明は上記事情に鑑みてなされたもので、玄関ポーチの外壁に沿って流れ落ちた雨水等の水を集めて確実に排水できる玄関ポーチの側溝構造を提供することを課題としている。
【課題を解決するための手段】
【０００６】
上記課題を解決するために、請求項１に記載の発明は、例えば図２に示すように、玄関ポーチ床５に、側溝７が外壁６の壁際に沿って設けられた玄関ポーチの側溝構造において、
前記外壁６を支持する基礎１０の側面１０ａに、底板１５が前記玄関ポーチ床５の床面５ａより低い位置で突き当てられ、この底板１５の縁部に、側板１６が前記基礎１０の側面１０ａに対向してほぼ平行に設けられており、
前記側溝７の内面は、前記底板１５の上面１５ａと、前記側板１６の側面１６ａと、前記基礎１０の側面１０ａとによって構成され、
前記底板１５の上面１５ａに防水層１７が設けられ、この防水層１７は前記底板１５の上面１５ａと前記基礎１０の側面１０ａとの交差部における前記基礎１０の側面１０ａに密着していることを特徴とする。
【０００７】
請求項１に記載の発明によれば、玄関ポーチ床５に設けられた側溝７の内面が、基礎１０の側面１０ａに、玄関ポーチ床５の床面５ａより低い位置で突き当てられた底板１５の上面１５ａと、底板１５の縁部に基礎１０の側面１０ａに対向してほぼ平行に設けられた側板１６の側面１６ａと、基礎１０の側面１０ａとによって構成され、底板１５の上面１５ａに設けられた防水層１７が、底板１５の上面１５ａと前記基礎１０の側面１０ａとの交差部における前記基礎１０の側面１０ａに密着しているので、玄関ポーチ１の外壁６に沿って流れ落ちた雨水や玄関ポーチ１に持ち込まれた水は確実に側溝７に入いる。そして、これらの水は底板１５と基礎１０との交差部から漏れないので、該水を確実に排水できる。
【０００８】
請求項２に記載の発明は、例えば図３および図４に示すように、玄関ポーチ床５に、側溝８が外壁６の壁際に沿って設けられた玄関ポーチの側溝構造において、
前記外壁６を支持する基礎１０の側面１０ａに、底板１５が前記玄関ポーチ床５の床面５ａより低い位置で突き当てられ、この底板１５の縁部に、側板１６が前記基礎１０の側面１０ａに対向してほぼ平行に設けられており、
前記外壁６に出入口３１が形成され、この出入口３１に枠体３２が前記外壁６の表面から突出させて取り付けられており、
この枠体３２の下枠３２ａと前記側溝８の底板１５との間にコンクリート３３が打設され、
前記側溝８の内面は、前記底板１５の上面１５ａと、前記側板１６の側面１６ａと、前記打設されたコンクリート３３の表面３３ａとによって構成され、
前記底板１５の上面１５ａに防水層１７が設けられ、この防水層１７は前記底板１５の上面１５ａと前記打設されたコンクリート３３の表面３３ａとの交差部における前記コンクリート３３の表面３３ａに密着していることを特徴とする。
【０００９】
請求項２に記載の発明によれば、玄関ポーチ床５に設けられた側溝８の内面が、基礎１０の側面１０ａに、玄関ポーチ床５の床面５ａより低い位置で突き当てられた底板１５の上面１５ａと、底板１５の縁部に基礎１０の側面１０ａに対向してほぼ平行に設けられた側板１６の側面１６ａと、下枠３２ａと側溝８の底板１５との間に打設されたコンクリート３３の表面３３ａとによって構成され、底板１５の上面１５ａに設けられた防水層１７が、底板１５の上面１５ａと前記コンクリート３３の表面３３ａとの交差部における前記コンクリート３３の表面３３ａに密着しているので、玄関ポーチ１の外壁６に沿って流れ落ちた雨水や玄関ポーチ１に持ち込まれた水は確実に側溝に入いる。そして、これらの水は底板１５と基礎１０との交差部から漏れないので、該水を確実に排水できる。
また、外壁６に形成された出入口３１の枠体３２が外壁６の表面から突出させて取り付けられているが、この枠体３２の下枠３２ａと側溝８の底板１５との間にコンクリート３３が打設されているので、この打設コンクリート３３によって下枠３２ａを確実に支持できる。
【００１０】
請求項３に記載の発明は、例えば図２および図６に示すように、請求項１または２に記載の玄関ポーチの側溝構造において、
前記側溝７に、断面略Ｌ字型の支持部材１８がその一端部を前記底板１５の上面１５ａに設置し、他端部を前記側板１６の上面１６ｂに直接または間接的に設置して、前記側溝７の長手方向に所定間隔で複数設けられており、
前記複数の支持部材１８の上面に、通水性を有する側溝蓋３０が隣り合う支持部材間に架け渡すようにして載置されていることを特徴とする。
【００１１】
請求項３に記載の発明によれば、支持部材１８の一端部が底板１５の上面１５ａに設置され、他端部が側板１６の上面１６ｂに直接または間接的に設置されているので、建物の外壁６によって側溝蓋３０の端部を支持することなく、支持部材１８に側溝蓋３０を載置して該支持部材１８によって支持できる。また、建物の外壁６によって側溝蓋３０の端部を支持する必要がないので、外壁６と側溝蓋３０との間に隙間を設けることができる。したがって、外壁６に沿って流れ落ちる雨水を側溝７に確実に流入させることができる。
【００１２】
請求項４に記載の発明は、例えば図２に示すように、請求項３に記載の玄関ポーチの側溝構造において、
前記玄関ポーチ床５に、前記側板１６の上面１６ｂより前方まで延出する水平板２０が固定されており、この水平板２０の上面に前記支持部材１８の他端部が設置されていることを特徴とする。
【００１３】
請求項４に記載の発明によれば、玄関ポーチ床５に固定された水平板２０が側板１６の上面１６ｂより前方まで延出しており、この延出した水平板２０の上面に支持部材１８の他端部が設置されているので、側板１６の上面１６ｂの幅が狭くても、支持部材１８の他端部を水平板２０に確実に設置できる。
【００１４】
請求項５に記載の発明は、例えば図５に示すように、請求項１に記載の玄関ポーチの側溝構造において、
前記基礎１０の側面１０ａが、前記外壁６の表面より突出している場合に、
前記基礎１０の上端部側面に、切欠き段差部３５が形成され、
前記側溝９に、断面略Ｌ字型の支持部材３６がその一端部を前記切欠き段差部３５に設置し、他端部を前記側板１６の上面１６ｂに直接または間接的に設置して、前記側溝９の長手方向に所定間隔で複数設けられており、
前記複数の支持部材３６の上面に、通水性を有する側溝蓋３０が隣り合う支持部材間に架け渡すようにして載置されていることを特徴とする。
【００１５】
請求項５に記載の発明によれば、支持部材３６の一端部が基礎１０に形成された切欠き段差部３５に設置され、他端部が側板１６の上面１６ｂに直接または間接的に設置されているので、建物の外壁６によって側溝蓋３０の端部を支持することなく、支持部材３６に側溝蓋３０を載置して該支持部材３６によって支持できる。また、建物の外壁６によって側溝蓋３０の端部を支持する必要がないので、外壁６と側溝蓋３０との間に隙間を設けることができる。したがって、外壁６に沿って流れ落ちる雨水を側溝９に確実に流入させることができる。
さらに、支持部材３６の一端部が基礎１０に形成された切欠き段差部３５に設置されているので、基礎１０の側面１０ａが外壁６の表面より突出していても、支持部材３６の一端部を外壁６に近付けることができ、よって、側溝蓋３０を外壁６に近付けて支持部材３６に載置できる。
【発明の効果】
【００１６】
本発明によれば、外壁を支持する基礎の側面に、底板が玄関ポーチ床の床面より低い位置で突き当てられ、この底板の縁部に、側板が基礎の側面に対向してほぼ平行に設けられ、側溝の内面は、前記底板の上面と、前記側板の側面と、前記基礎の側面とによって構成され、底板の上面に防水層が設けられ、この防水層は前記底板の上面と基礎の側面との交差部における前記基礎の側面に密着しているので、玄関ポーチの外壁に沿って流れ落ちた雨水や玄関ポーチに持ち込まれた水は確実に側溝に入いる。そして、これらの水は底板と基礎との交差部から漏れないので、該水を確実に排水できる。
【図面の簡単な説明】
【００１７】
【図１】本発明に係る玄関ポーチの側溝構造の一例を示すもので、その平面図である。
【図２】同、図１におけるＡ−Ａ線断面図である。
【図３】同、図１におけるＢ−Ｂ線断面図である。
【図４】同、図３の要部拡大図である。
【図５】同、図１におけるＣ−Ｃ線断面図である。
【図６】同、支持部材の一例を示す斜視図である。
【図７】同、支持部材の他の例を示す斜視図である。
【発明を実施するための形態】
【００１８】
以下、図面を参照して本発明の実施の形態について説明する。
図１は本発明に係る玄関ポーチの側溝構造の一例を示す平面図である。図１において符号１は玄関ポーチ、符号２は玄関土間、符号３は玄関ホールを示す。図３に示すように、玄関ポーチ１の床面と、玄関土間２の床面と、玄関ホール３の床面はほぼ面一になっている。
また、玄関ポーチ床５には、図１に示すように、外壁６に沿って該外壁６の壁際に、側溝７，８，９が平面視略コ字型に設けられている。
【００１９】
図１のＡ−Ａ線断面における玄関ポーチの側溝構造について、図２を参照して説明すると、外壁６は外壁本体６ａとこの外壁本体６ａの表面に取り付けられた外装材６ｂとによって構成されている。外壁本体６ａは、鉄筋コンクリート製の基礎１０に台輪１１、土台１２を介して支持されている。なお、基礎１０には鉄筋１０ｂが埋設されている。また、外装材６ｂの下端は、外壁本体６ａの下端より下方に位置している。また、土台１２には水切り部材１３が取り付けられている。
【００２０】
前記外壁６を支持する基礎１０の側面１０ａには、底板１５が玄関ポーチ床５の床面５ａより低い位置で突き当てられており、この底板１５の縁部には、側板１６が基礎１０の側面１０ａに対向してほぼ平行に設けられている。底板１５と側板１６とはコンクリートによって断面Ｌ字型に一体的に形成されている。このような底板１５と側板１６とからなるＬ型コンクリート部材は、例えば、既存のＵ字溝の底部を切断することによって得ることができるが、これに限るものではない。
そして、側溝７の内面は、底板１５の上面１５ａと、側板１６の側面１６ａと、基礎１０の側面１０ａとによって構成されている。側板１６の上面１６ｂは基礎１０の上面より高くなっている。
また、底板１５の上面１５ａには、防水層１７が設けられ、この防水層１７は底板１５の上面１５ａと基礎１０の側面１０ａとの交差部における基礎１０の側面１０ａに密着している。防水層１７は、例えば、底板１５の上面１５ａに防水モルタルを基礎１０の側面１０ａに密着すようにして施工することによって形成することができる。
【００２１】
前記側溝７には、断面略Ｌ字型の支持部材１８がその一端部を底板１５の上面１５ａに設置し、他端部を側板１６の上面１６ｂに間接的に設置して、側溝７の長手方向（図２において紙面と直交する方向）に所定間隔で複数設けられている。
支持部材１８の一端部には、図２および図６に示すように、水平な折曲部１８ａが形成されており、この折曲部１８ａが設置台１９を介して底板１５の上面１５ａに設置されている。また、支持部材１８の他端部は水平板２０の上面に設置されている。
【００２２】
水平板２０は玄関ポーチ床５に固定されている。すなわち、玄関ポーチ床５は、床本体２１と、この床本体２１の上面に敷モルタル２２を介して固定された複数のタイル２３とから構成されている。床本体２１は、コンクリートを、前記側溝７を構成する底板１５および側板１６の周囲に打設することによって構成されている。この床本体２１の上面と側板１６の上面１６ｂとは面一となっている。
前記床本体２１には、固定ボルト２４がその上端部を床本体２１の上面から突出させて埋設されており、固定ボルト２４の上端部には、前記水平板２０がその一部を敷モルタル２２に埋設した状態で水平に固定されている。水平板２０は側板１６の上面より前方の側溝７の上方まで延出しており、この延出した水平板２０に、前記支持部材１８の他端部がビス２５，２６によって固定されている。
【００２３】
前記支持部材１８の上面の両縁部には、それぞれアングル材２７，２７がビス２６，２６によって固定されている。アングル材２７は、側溝７の長手方向に沿って延在する長尺なものであり、互いに隣り合う支持部材１８，１８の上面に架け渡すようにして設置され、ビス２６，２６によって固定されている。なお、図２において、左側のビス２６は、アングル材２７、支持部材１８の他端部、水平板２０を一体的に固定している。
前記支持部材１８の上面には、通水性を有する側溝蓋３０が隣り合う支持部材１８，１８間に架け渡すようにして載置されている。すなわち、側溝蓋３０の両縁部が前記アングル材２７，２７に設置された状態で、該側溝蓋３０が該アングル材２７，２７を介して支持部材１８の上面に載置されている。側溝蓋３０は例えばグレーチング蓋によって構成されている。
【００２４】
次に、図１のＢ−Ｂ線断面における玄関ポーチの側溝構造について、図３および図４を参照して説明する。なお、図３および図４において、図２に示す構造と共通部材については同一符号を付してその説明を簡略化ないし省略する。
外壁６を支持する基礎１０の側面１０ａには、底板１５が玄関ポーチ床５の床面５ａより低い位置で突き当てられ、この底板１５の縁部に、側板１６が基礎１０の側面１０ａに対向してほぼ平行に設けられている。
また、外壁６には、出入口３１が形成され、この出入口３１に枠体３２が外壁６の表面から突出させて取り付けられている。この枠体３２の下枠３２ａと側溝８の底板１５との間にコンクリート３３が、支持部材１８の背面側において打設されている。
そして、側溝８の内面は、底板１５の上面１５ａと、側板１６の側面１６ａと、打設されたコンクリート３３の表面３３ａとによって構成されている。
また、底板１５の上面１５ａに防水層１７が設けられ、この防水層１７は底板１５の上面１５ａと打設されたコンクリート３３の表面３３ａとの交差部におけるコンクリート３３の表面３３ａに密着している。
なお、玄関土間２の床は土間コンクリート２ａで構成されおり、玄関ホール３の床は床パネル３ａで構成されている。そして、土間コンクリート２ａの床面２ｂと、床パネル３ａの床面３ｂと、玄関ポーチ床５の床面５ａとが面一になっている。
【００２５】
また、図３および図４において図示は省略するが、図２と同様に、床本体２１には、固定ボルトがその上端部を床本体２１の上面から突出させて埋設されており、固定ボルトの上端部に、水平板がその一部を敷モルタル２２に埋設した状態で水平に固定されている。水平板は側板の上面より前方の側溝８の上方まで延出しており、この延出した水平板に、前記支持部材１８の他端部が固定されている。
支持部材１８の上面の両縁部には、図２と同様に、それぞれアングル材が固定されており、側溝蓋３０の両縁部がアングル材に設置された状態で、該側溝蓋３０が該アングル材を介して支持部材１８の上面に載置されている。
【００２６】
次に、図１のＣ−Ｃ線断面における玄関ポーチの側溝構造について、図５を参照して説明する。なお、図２に示す構造と共通部材については同一符号を付してその説明を簡略化ないし省略する。
外壁６を支持する基礎１０の側面１０ａに、底板１５が玄関ポーチ床５の床面５ａより低い位置で突き当てられ、この底板１５の縁部に、側板１６が基礎１０の側面１０ａに対向してほぼ平行に設けられている。
側溝９の内面は、底板１５の上面１５ａと、側板１６の側面１６ａと、基礎１０の側面１０ａとによって構成されている。
底板１５の上面１５ａには防水層１７が設けられ、この防水層１７は底板１５の上面１５ａと基礎１０の側面１０ａとの交差部における前記基礎１０の側面１０ａに密着している。
また、基礎１０の側面１０ａは、外壁６の表面より突出しており、該基礎１０の上端部側面に、切欠き段差部３５が形成されている。この切欠き段差部３５は、基礎１０の上端面と側面を基礎１０の長手方向に沿って断面矩形状に切り欠いて形成されたものである。
【００２７】
そして、側溝９に、断面略Ｌ字型の支持部材３６がその一端部を切欠き段差部３５に設置し、他端部を側板１６の上面１６ｂに間接的に設置して、側溝９の長手方向に所定間隔で複数設けられている。
支持部材３６は、図７に示すように、その一端部に水平な折曲部３６ａが形成されており、この折曲部３６ａが切欠き段差部３５に設置されている。この支持部材３６は、図６に示す支持部材１８に比して低くなっているだけで、その他の構成は同一である。
なお、図５において図示は省略するが、図２と同様に、床本体２１には、固定ボルトがその上端部を床本体２１の上面から突出させて埋設されており、固定ボルトの上端部に、水平板がその一部を敷モルタル２２に埋設した状態で水平に固定されている。水平板は側板の上面より前方の側溝９の上方まで延出しており、この延出した水平板に、前記支持部材３６の他端部が固定されている。
支持部材３６の上面の両縁部には、図２と同様に、それぞれアングル材が固定されており、側溝蓋３０の両縁部がアングル材に設置された状態で、該側溝蓋３０が該アングル材を介して支持部材３６の上面に載置されている。
【００２８】
本実施の形態によれば、玄関ポーチ床５に設けられた側溝７の内面が、基礎１０の側面１０ａに、玄関ポーチ床５の床面５ａより低い位置で突き当てられた底板１５の上面１５ａと、底板１５の縁部に基礎１０の側面１０ａに対向してほぼ平行に設けられた側板１６の側面１６ａと、基礎１０の側面１０ａとによって構成され、底板１５の上面１５ａに設けられた防水層１７が、底板１５の上面１５ａと前記基礎１０の側面１０ａとの交差部における前記基礎１０の側面１０ａに密着しているので、玄関ポーチ１の外壁６に沿って流れ落ちた雨水や玄関ポーチ１に持ち込まれた水は確実に側溝７に入いる。そして、これらの水は底板１５と基礎１０との交差部から漏れないので、該水を確実に排水できる。
【００２９】
また、玄関ポーチ床５に設けられた側溝８の内面が、基礎１０の側面１０ａに、玄関ポーチ床５の床面５ａより低い位置で突き当てられた底板１５の上面１５ａと、底板１５の縁部に基礎１０の側面１０ａに対向してほぼ平行に設けられた側板１６の側面１６ａと、下枠３２ａと側溝８の底板１５との間に打設されたコンクリート３３の表面３３ａとによって構成され、底板１５の上面１５ａに設けられた防水層１７が、底板１５の上面１５ａと前記コンクリート３３の表面３３ａとの交差部における前記コンクリート３３の表面３３ａに密着しているので、玄関ポーチ１の外壁６に沿って流れ落ちた雨水や玄関ポーチ１に持ち込まれた水は確実に側溝に入いる。そして、これらの水は底板１５と基礎１０との交差部から漏れないので、該水を確実に排水できる。
さらに、外壁６に形成された出入口３１の枠体３２が外壁６の表面から突出させて取り付けられているが、この枠体３２の下枠３２ａと側溝８の底板１５との間にコンクリート３３が打設されているので、この打設コンクリート３３によって下枠３２ａを確実に支持できる。
【００３０】
また、支持部材１８の一端部が底板１５の上面１５ａに設置され、他端部が側板１６の上面１６ｂに直接または間接的に設置されているので、建物の外壁６によって側溝蓋３０の端部を支持することなく、支持部材１８に側溝蓋３０を載置して該支持部材１８によって支持できる。また、建物の外壁６によって側溝蓋３０の端部を支持する必要がないので、外壁６と側溝蓋３０との間に隙間を設けることができる。したがって、外壁６に沿って流れ落ちる雨水を側溝７に確実に流入させることができる。
また、玄関ポーチ床５に固定された水平板２０が側板１６の上面１６ｂより前方まで延出しており、この延出した水平板２０の上面に支持部材１８の他端部が設置されているので、側板１６の上面１６ｂの幅が狭くても、支持部材１８の他端部を水平板２０に確実に設置できる。
【００３１】
また、支持部材３６の一端部が基礎１０に形成された切欠き段差部３５に設置され、他端部が側板１６の上面１６ｂに直接または間接的に設置されているので、建物の外壁６によって側溝蓋３０の端部を支持することなく、支持部材３６に側溝蓋３０を載置して該支持部材３６によって支持できる。また、建物の外壁６によって側溝蓋３０の端部を支持する必要がないので、外壁６と側溝蓋３０との間に隙間を設けることができる。したがって、外壁６に沿って流れ落ちる雨水を側溝９に確実に流入させることができる。
さらに、支持部材３６の一端部が基礎１０に形成された切欠き段差部３５に設置されているので、基礎１０の側面１０ａが外壁６の表面より突出していても、支持部材３６の一端部を外壁６に近付けることができ、よって、側溝蓋３０を外壁６に近付けて支持部材３６に載置できる。
【符号の説明】
【００３２】
１  玄関ポーチ
５  玄関ポーチ床
５ａ  床面
６  外壁
・  側溝
１０  基礎
１０ａ  側面
１５  底板
１５ａ  上面
１６  側板
１６ａ  側面
１６ｂ  上面
１７  防水層
１８，３６  支持部材
２０  水平板
３０  側溝蓋
３１  出入口
３２  枠体
３２ａ  下枠
３３  コンクリート
３３ａ  表面
３５  切欠き段差部
【図１】
2011043015.tif 000003
【図２】
2011043015.tif 000004
【図３】
2011043015.tif 000005
【図４】
2011043015.tif 000006
【図５】
2011043015.tif 000007
【図６】
2011043015.tif 000008
【図７】
2011043015.tif 000009